(57)【要約】      （修正有）【課題】設置されたインターホンを判別しやすいインターホン装飾具を提供する。【解決手段】建物の壁面に固定される取付部材に取付けられるインターホン５のカバー５０の周囲を装飾する装飾パネル２と、装飾パネル２をインターホン５に固定するための固定手段と、を有し、装飾パネル２は、カバー５０の外形よりも大きく形成されており、少なくともカバー５０に内蔵されるスピーカ、マイク、呼出ボタン５４に外部からアクセス可能な開口部２０が形成されている。【選択図】図１
0003208948.tif 000002
【実用新案登録請求の範囲】
【請求項１】
建物の壁面に固定される取付部材に取付けられるインターホンのカバーの周囲を装飾する装飾パネルと、該装飾パネルを前記インターホンに固定するための固定手段と、を有し、
前記装飾パネルは、前記カバーの外形よりも大きく形成されており、少なくとも前記カバーに内蔵されるスピーカ、マイク、呼出ボタンに外部からアクセス可能な開口部が形成されていることを特徴とするインターホン装飾具。
【請求項２】
前記固定手段は、前記装飾パネルの背面側に対向して設けられる一対の支持部材と、一方の前記支持部材に設けられ他方の前記支持部材に向けて進退可能な進退部材と、を備えていることを特徴とする請求項１に記載のインターホン装飾具。
【請求項３】
前記進退部材は、前記取付部材ベースフレームと対応する位置に設けられていることを特徴とする請求項２に記載のインターホン装飾具。
【請求項４】
少なくとも前記マイクにアクセス可能な前記開口部の周囲には、吸音部材が配置されていることを特徴とする請求項１ないし３のいずれかに記載のインターホン装飾具。
【請求項５】
前記装飾パネルは、前記カバーの周囲に外嵌する開口部を介して前記カバーに外嵌され、前記開口部と前記カバーとの間には、緩衝部材が設けられていることを特徴とする請求項１ないし４のいずれかに記載のインターホン装飾具。
【請求項６】
前記装飾パネルは、音振動吸収部材により構成されていることを特徴とする請求項１ないし５のいずれかに記載のインターホン装飾具。
【考案の詳細な説明】
【技術分野】
【０００１】
本考案は、インターホンを装飾するためのインターホン装飾具に関する。
【背景技術】
【０００２】
住宅やオフィス等において、室内と室外との連絡手段として一対のインターホンが用いられている。主に、玄関等に設置される子機側のインターホンは、室内に設置される親機側のインターホンからの音声を出力するスピーカや、親機側のインターホンへの音声を入力するマイクや、親機側のインターホンを呼び出す呼出ボタン等の機能部を有しているもの等がある（例えば、特許文献１参照）。
【先行技術文献】
【特許文献】
【０００３】
【特許文献１】特開２０１１−７７７７１号公報（第４頁、第１図）
【考案の概要】
【考案が解決しようとする課題】
【０００４】
特許文献１のようなインターホンは、取付けられる建物の壁等のデザインと調和させるために、一般に暗い配色のカバーを採用する場合が多いばかりか、機能部を最小限にして小型化されたもの等もあり、取付位置によっては来訪者が設置されたインターホンを瞬時に判別し難いという虞がある。
【０００５】
本考案は、このような問題点に着目してなされたもので、設置されたインターホンを判別しやすいインターホン装飾具を提供することを目的とする。
【課題を解決するための手段】
【０００６】
前記課題を解決するために、本考案のインターホン装飾具は、
建物の壁面に固定される取付部材に取付けられるインターホンのカバーの周囲を装飾する装飾パネルと、該装飾パネルを前記インターホンに固定するための固定手段と、を有し、
前記装飾パネルは、前記カバーの外形よりも大きく形成されており、少なくとも前記カバーに内蔵されるスピーカ、マイク、呼出ボタンに外部からアクセス可能な開口部が形成されていることを特徴としている。
この特徴によれば、装飾パネルによりインターホンが大きく強調されるため、来訪者がインターホンを判別しやすい。また、装飾パネルをインターホンに固定した際には、開口部を通じてインターホンのスピーカ、マイク、呼出ボタン等の機能を利用することができる。
【０００７】
前記固定手段は、前記装飾パネルの背面側に対向して設けられる一対の支持部材と、一方の前記支持部材に設けられ他方の前記支持部材に向けて進退可能な進退部材と、を備えていることを特徴としている。
この特徴によれば、一対の支持部材間にインターホンを配置した状態で、進退部材を他方の支持部材に進行させることにより、インターホンを挟圧して装飾パネルを取付けることができるため、取付構造を簡素化することができる。
【０００８】
前記進退部材は、前記取付部材と対応する位置に設けられていることを特徴としている。
この特徴によれば、建物の壁面に固定される取付部材に装飾パネルが保持されるため、装飾パネルを安定して設置できる。
【０００９】
少なくとも前記マイクにアクセス可能な前記開口部の周囲には、吸音部材が配置されていることを特徴としている。
この特徴によれば、外部からマイクに入力されるノイズ音を吸音部材により減少させることができる。
【００１０】
前記装飾パネルは、前記カバーの周囲に外嵌する開口部を介して前記カバーに外嵌され、前記開口部と前記カバーとの間には、緩衝部材が設けられていることを特徴としている。
この特徴によれば、音声によるインターホンのカバーの共振を緩衝部材と装飾パネルとにより抑制できる。
【００１１】
前記装飾パネルは、音振動吸収部材により構成されていることを特徴としている。
この特徴によれば、カバーの共振を音振動吸収部材により吸収できるとともに、インターホン近傍のノイズ音を減少させることができるので、双方の音声をクリアにできる。
【図面の簡単な説明】
【００１２】
【図１】実施例１のインターホン装飾具を取付けたインターホン示す正面図である。
【図２】インターホン装飾具の取付態様を示す背面斜視図である。
【図３】（ａ）は図１のＡ−Ａ断面図、（ｂ）は図１のＢ−Ｂ断面図である。
【図４】（ａ）はインターホンにインターホン装飾具を外嵌させた状態を示す概念図、（ｂ）はインターホンにインターホン装飾具を固定した状態を示す概念図である。
【図５】スピーカから音声が出力された状態を示す概念図である。
【図６】実施例２のインターホン装飾具を取付けたインターホン示す正面図である。
【図７】マイクに音声を入力した状態を示す概念図である。
【図８】インターホン装飾具の変形例を示す正面図である。
【考案を実施するための形態】
【００１３】
本考案に係るインターホン装飾具を実施するための形態を実施例に基づいて以下に説明する。
【実施例１】
【００１４】
実施例１に係るインターホン装飾具につき、図１から図５を参照して説明する。
【００１５】
図１及び図２に示されるように、インターホン装飾具１は、インターホン５に取付けられることで、インターホン５を装飾するものである。本実施例におけるインターホン５は、玄関や門柱等の屋外に設置される子機側のインターホンであり、室内に設置される図示しない親機側のインターホンと通話可能である。尚、インターホン装飾具１は、親機側のインターホンにも取付けてもよい。
【００１６】
図１及び図２に示されるように、インターホン５は、正面視略長方形状に形成された合成樹脂製の筐体５０（カバー）と、筐体５０の後方に嵌合された合成樹脂製のベースフレーム５１と、から主に構成されている。
【００１７】
インターホン５には、親機側のインターホンからの音声を出力するスピーカ５２（図５参照）、親機側のインターホンへ音声を入力するマイク５３（図７参照）等が内蔵されるとともに、親機側のインターホンを呼び出す呼出ボタン５４（図１参照）等を備えている。筐体５０には、これら内蔵されたスピーカ５２、マイク５３及び呼出ボタン５４とそれぞれ対応する位置にスピーカ孔５５、マイク穴５６及びボタン穴５７が形成されている。尚、インターホン５は、マイク５３、スピーカ５２、呼出ボタン５４を機能部として備えているが、上記以外の構成として、例えば、加えてカメラや照明等の機能部を備えていてもよい。
【００１８】
また、ベースフレーム５１は、インターホン５が取付けられる取付面となる壁面Ｓ（図３参照）に強固に固定されており、機能部を有する筐体５０を壁面Ｓに取付ける取付部材として機能している。
【００１９】
インターホン装飾具１は、所定の形状（本実施例では猫）を模して形成された装飾パネル２と、装飾パネル２をインターホン５に取付けるための固定装置３（固定手段）と、から主に構成されており、インターホン５を装飾するようになっている。尚、装飾パネル２の形状は、自由に変更することができることは言うまでもない。
【００２０】
装飾パネル２は、平板状のアクリル板を切断加工することによりインターホン５の筐体５０の外形よりも大きく構成されており、その略中央部には、インターホン５の筐体５０の外形よりも若干大きく、ベースフレーム５１の外形よりも小さい開口部２０が形成されている。また、開口部２０の内周面は、例えば、弾性を有するゴム等から形成される緩衝部材６が固着されている。
【００２１】
尚、装飾パネル２は、平板形状に限られず、例えば、ドーム形状など立体形状に構成されていてもよい。また、開口部２０は、例えば、装飾パネル２の一部が切り欠かれた切欠開口であってもよい。
【００２２】
図２及び図３に示されるように、固定装置３は、装飾パネル２の背面側において開口部２０の左右に配置される一対の第１支持部材３０（一方の支持部材）及び第２支持部材３１（他方の支持部材）と、開口部２０の上方に配置される第３支持部材３２と、第１支持部材３０の第１立片３０ａに取付けられ第２支持部材３１の第２立片３１ａに向けて進退可能なネジ部材４，４（進退部材）と、から主に構成されている。
【００２３】
第１支持部材３０と第２支持部材３１と第３支持部材３２とは、断面視略Ｌ字状のアクリル板により構成されており、装飾パネル２の背面に立設される第１立片３０ａと第２立片３１ａと第３立片３２ａ及び、装飾パネル２の背面に固定される第１固定片３０ｂと第２固定片３１ｂと第３固定片３２ｂとを備える。尚、第１支持部材３０及び第２支持部材３１は垂直方向に延設されており、第３支持部材３２は水平方向に延設されている。
【００２４】
これら第１支持部材３０と第２支持部材３１と第３支持部材３２とは、それぞれ背面側に突出して形成される第１立片３０ａと第２立片３１ａと第３立片３２ａとを備えており、これら第１立片３０ａと第２立片３１ａと第３立片３２ａとは、装飾パネル２のリブとして機能し、装飾パネル２の背面側における開口部２０の周辺の強度を向上させている。
【００２５】
ネジ部材４，４は、第１立片３０ａに螺設されたネジ孔に螺挿されており、ネジ部材４，４の先端と、ベースフレーム５１との間には、垂直方向に延びる板部材７が介在している。また、板部材７における第２支持部材３１側の面には、弾性を有する弾性部材８が固着されている。
【００２６】
インターホン装飾具１をインターホン５に取付ける際には、図４（ａ）に示されるように、ネジ部材４，４を退行させた状態で、開口部２０を介してインターホン５に装飾パネル２を外嵌させる。このときには、ベースフレーム５１の上面５１ａに第３支持部材３２の第３立片３２ａを載置することで、ベースフレーム５１にインターホン装飾具１の荷重を預けた仮置きの状態とすることができる。
【００２７】
次いで、図４（ｂ）に示されるように、ネジ部材４，４を進行させることにより、板部材７及び弾性部材８がベースフレーム５１の側面５１ｂを押圧する。これによれば、第２支持部材３１の第２固定片３１ｂと、板部材７及び弾性部材８とが近接せしめられることで、ベースフレーム５１からの反力が生じ、インターホン装飾具１全体がネジ部材４，４の進行とは反対方向に距離Ｌ１分移動し、第２支持部材３１の第２固定片３１ｂと板部材７及び弾性部材８とによりベースフレーム５１が両側から狭持される。
【００２８】
このように、一対の第１支持部材３０及び第２支持部材３１間にインターホン５を配置した状態で、ネジ部材４，４を第２支持部材３１に向けて進行させることにより、ベースフレーム５１を両側方から挟圧して装飾パネル２をベースフレーム５１に取付けることができ、例えば、ベースフレーム５１に取付け用のネジ孔などを形成しなくて済み、装飾パネル２をベースフレーム５１に取付けるための取付構造を簡素化することができるばかりか、ベースフレーム５１に加工を必要としないため、インターホン装飾具１を取外した際の原状復帰が容易である。
【００２９】
また、ベースフレーム５１は筐体５０に比べて強度の高い合成樹脂で形成されていることが一般的であるため、インターホン装飾具１の取付け時に、第２支持部材３１の第２固定片３１ｂと、板部材７及び弾性部材８とによる挟圧で破損する虞が少ない。加えて、インターホン装飾具１は、壁面Ｓ（図３参照）に直接固定されるベースフレーム５１に取付けられるため、インターホン装飾具１を安定して設置できるばかりか、インターホン装飾具１の荷重が筐体５０に直接係ることがなく、筐体５０及び該筐体５０とベースフレーム５１とを連結する連結部の破損を防止できる。
【００３０】
また、ネジ部材４，４とベースフレーム５１との間には、板部材７及び弾性部材８が介在するため、ベースフレーム５１との接触面積が大きくなり、ネジ部材４，４の先端に係る力が板部材７及び弾性部材８の平面上に分散され、ベースフレーム５１への押圧力が板部材７及び弾性部材８の平面上に分散され、ベースフレーム５１の側面５１ｂに局所的に押圧力が集中することがなく、ベースフレーム５１の側面５１ｂの変形を防止することができる。
【００３１】
このように、インターホン５の筐体５０の外形よりも大きく構成された装飾パネル２がインターホン５に取付けられることにより、インターホン５の装飾性が向上するとともに、来訪者がインターホン５の設置位置を瞬時に判別できるようになる。具体的には、例えば、筐体５０が暗い配色である場合や壁面Ｓと同系色である場合、またはインターホン５自体が小型化されている場合等、一見して来訪者がインターホン５の設置位置を判別し難い場合であっても、インターホン装飾具１をインターホン５に取付けることで、インターホン５が大きく強調されるため、来訪者がインターホン５を判別しやすい。また、装飾パネル２をインターホン５に固定した際には、開口部２０を通じてインターホン５のスピーカ５２、マイク５３及び呼出ボタン５４等の機能性を阻害することがない。
【００３２】
尚、装飾パネル２は、適宜着色することで、インターホン５の装飾性を向上させ、来訪者がインターホン５を判別し易くできる。
【００３３】
また、前述のように、開口部２０とインターホン５との間には、緩衝部材６が設けられている。これによれば、図５に示されるように、例えば、スピーカ５２からの音声が出力された際には、その音振動によりインターホン５の筐体５０が共振することを緩衝部材６と装飾パネル２とにより抑制できる。尚、図５においては、説明の便宜上、筐体５０におけるスピーカ孔５５の構成を省略している。
【００３４】
具体的には、インターホン５の筐体５０は合成樹脂からなり、装飾パネル２は薄板状のアクリルパネルから形成されているため、外部からの音振動により振動しやすくなっている。そのため、筐体５０と装飾パネル２とが直接接触した状態で取付けられた場合には、スピーカ５２からの音振動により筐体５０と装飾パネル２とが共振してノイズが発生し、スピーカ５２からの音声が聞き取りにくくなるという問題がある。
【００３５】
対して、本実施例のインターホン装飾具１は、開口部２０とインターホン５との間に緩衝部材６が設けられているため、スピーカ５２からの音振動により筐体５０が共振しても、その振動を緩衝部材６が吸収する。そのため、筐体５０から装飾パネル２への振動の伝達が抑制され、ノイズの発生を抑制し、通話機能の低下を抑制できるばかりか、筐体５０の振動自体を緩衝部材６が吸収するため、寧ろインターホン装飾具１を取付けたことによりノイズを減らして音声をクリアにすることができる。
【００３６】
また、ネジ部材４，４とベースフレーム５１との間には、ゴム等で形成された弾性部材８が配設されているため、ベースフレーム５１が振動したとしても、弾性部材８がその振動を吸収するため、ベースフレーム５１との固定構造からインターホン装飾具１への振動の伝達についても抑制することができる。尚、本実施例では、スピーカ５２からの音振動により筐体５０と装飾パネル２とが共振することを抑制する形態について説明したが、来訪者がマイクに対して発声する際の音振動により筐体５０が共振することも同様に抑制できることは言うまでもない。
【００３７】
尚、緩衝部材６及び弾性部材８は、ゴムなどの合成樹脂に限られず、衝撃を緩衝できるものであれば、ウレタン等の他の材質により構成されていても構わない。
【実施例２】
【００３８】
次に、実施例２に係るインターホン装飾具につき、図６及び図７を参照して説明する。尚、前記実施例と同一構成で重複する構成については同一符号を付してその説明を省略する。
【００３９】
図６に示されるように、インターホン装飾具１０は、装飾パネル２００がインターホン５の前面側に配設されるようになっており、装飾パネル２００は、スピーカ孔５５（スピーカ５２）と対応する位置に形成される第１開口部２００ａと、マイク穴５６（マイク５３）と対応する位置に形成される第２開口部２００ｂと、呼出ボタン５４と対応する位置に形成される第３開口部２００ｃと、を備えている。
【００４０】
また、第２開口部２００ｂの外周側には、ウレタンから構成される環状の音吸収部材１１が取付けられている。尚、この音吸収部材１１は、その表面に防水加工が施されており、雨水等を吸収し難くなっている。
【００４１】
このように、第２開口部２００ｂの外周側に音吸収部材１１が取付けられているため、図７に示されるように、来訪者がマイク５３に音声を入力する際に、周囲の環境音などが音吸収部材１１により吸収され、正面側から来訪者の音声のみが第２開口部２００ｂを通じてマイク５３に入力される。そのため、来訪者以外の音声（ノイズ）を減少させて、来訪者の音声を室内側にクリアに届けることができる。
【００４２】
尚、ここでは説明しなかったが、装飾パネル２００の背面とインターホン５の筐体５０との間に緩衝部材を介設させ、筐体５０及び装飾パネル２００の共振を低減させてもよい。また、音吸収部材１１を装飾パネル２００の背面側に第２開口部２００ｂを囲うように配設して、外部からのノイズの回り込みを防ぐようにしてもよい。
【００４３】
また、本実施例では、装飾パネル２００がインターホン５の前面側に配設され、各機能部に対応して第１開口部２００ａ、第２開口部２００ｂ、及び第３開口部２００ｃが形成される形態を例示したが、前記実施例のように、装飾パネルがインターホン５に外嵌する開口部（例えば、開口部２０）を有する形態とし、その開口部の周囲に音吸収部材を設けるようにしてもよい。
【００４４】
また、音吸収部材１１は、音を吸収できるものであればウレタンに限られず、自由に変更できることは言うまでもない。また、音吸収部材１１は、第２開口部２００ｂを囲うように周方向に連続するものに限られず、第２開口部２００ｂの周囲に点在するように複数配置されていてもよい。
【００４５】
また、装飾パネル２を構成する材料は、アクリル板に限られず、自由に変更することができる。例えば、アクリル板以外の合成樹脂から成る板材などであってもよいし、鉄板などであってもよい。
【００４６】
尚、上記実施例の変形例として、次のようなものもある。図８に示されるように、インターホン装飾具１００は、装飾パネル２１０がウレタンなどの音振動吸収部材から構成されている。これによれば、装飾パネル２１０は、インターホン５近傍のノイズ（来訪者以外の音声）を吸収するととともに、通話時における音振動によるインターホン５の筐体５０の共振を吸収できるため、子機側のインターホン５と親機側のインターホンとの相互の通話状態を向上させることができる。尚、この場合には、取付強度の観点から前述した固定装置３は装飾パネル２１０よりも硬質の合成樹脂により構成されることが好ましい。
【００４７】
以上、本考案の実施例を図面により説明してきたが、具体的な構成はこれら実施例に限られるものではなく、本考案の要旨を逸脱しない範囲における変更や追加があっても本考案に含まれる。
【００４８】
前記実施例では、進退部材としてネジ部材４，４として説明したが、対向する一対の支持部材における一方側に設けられ他方の支持部材に向けて進退可能であればよく、例えば、一方側の支持部材とインターホンとの間で挟持される弾性部材等であってもよい。
【００４９】
また、前記実施例では、ネジ部材４，４とインターホン５との間には、板部材７及び弾性部材８が介設される形態を例示したが、板部材７及び弾性部材８の構成を省略してネジ部材４，４がインターホン５を直接押圧してもよい。
【符号の説明】
【００５０】
１                インターホン装飾具
２                装飾パネル
３                固定装置（固定手段）
４                ネジ部材（進退部材）
５                インターホン
６                緩衝部材
１０              インターホン装飾具
１１              音吸収部材
２０              開口部
３０              第１支持部材（一方の支持部材）
３１              第２支持部材（他方の支持部材）
５０              筐体（カバー）
５１              ベースフレーム
１００            インターホン装飾具
２００            装飾パネル
２００ｂ          第２開口部（マイクにアクセス可能な開口部）
２１０            装飾パネル
Ｓ                壁面（取付面）
【図１】
0003208948.tif 000003
【図２】
0003208948.tif 000004
【図３】
0003208948.tif 000005
【図４】
0003208948.tif 000006
【図５】
0003208948.tif 000007
【図６】
0003208948.tif 000008
【図７】
0003208948.tif 000009
【図８】
0003208948.tif 000010
【手続補正書】
【提出日】平成28年12月7日(2016.12.7)
【手続補正１】
【補正対象書類名】実用新案登録請求の範囲
【補正対象項目名】全文
【補正方法】変更
【補正の内容】
【実用新案登録請求の範囲】
【請求項１】
建物の壁面に固定される取付部材に取付けられるインターホンのカバーの周囲を装飾する装飾パネルと、該装飾パネルを前記インターホンに固定するための固定手段と、を有し、
前記装飾パネルは、前記カバーの外形よりも大きく形成されており、少なくとも前記カバーに内蔵されるスピーカ、マイク、呼出ボタンに外部からアクセス可能な開口部が形成されていることを特徴とするインターホン装飾具。
【請求項２】
前記固定手段は、前記装飾パネルの背面側に対向して設けられる一対の支持部材と、一方の前記支持部材に設けられ他方の前記支持部材に向けて進退可能な進退部材と、を備えていることを特徴とする請求項１に記載のインターホン装飾具。
【請求項３】
前記進退部材は、前記取付部材と対応する位置に設けられていることを特徴とする請求項２に記載のインターホン装飾具。
【請求項４】
少なくとも前記マイクにアクセス可能な前記開口部の周囲には、吸音部材が配置されていることを特徴とする請求項１ないし３のいずれかに記載のインターホン装飾具。
【請求項５】
前記装飾パネルは、前記カバーの周囲に外嵌する開口部を介して前記カバーに外嵌され、前記開口部と前記カバーとの間には、緩衝部材が設けられていることを特徴とする請求項１ないし４のいずれかに記載のインターホン装飾具。
【請求項６】
前記装飾パネルは、音振動吸収部材により構成されていることを特徴とする請求項１ないし５のいずれかに記載のインターホン装飾具。